(57)【要約】      （修正有）【課題】サンドイッチに通常は挟み込まないような食材であっても食パンの間に挟み込んで封入し従来にない味や食感を実現できるプレス式サンドウィッチの作成器具を提案する。【解決手段】所定形状の容器２とそれにかぶせて使用する押圧操作具３とにより成るプレス式サンドウィッチ作成器具１であって、容器底サイズにそろえて準備した２枚の食パンの間に適量の好みの食材９を挟み込んだ状態で所定形状の容器２下部にセッティングし、押圧操作具３を容器２にかぶせ、押圧操作部４を押し下げて押圧すると好みの食材９を挟み込んだ2枚の食パンが半球形凹部４ａなどに形成された押圧操作部先端のプレス成型部４形状に成型され、しかも2枚の食パンの周端部がより強くプレスされることでくっつき合って挟み込んだ食材９が封入される。【選択図】図１
0003105304.tif 000002
【実用新案登録請求の範囲】
【請求項１】
所定形状の容器とそれにかぶせて使用する押圧操作具とにより成るプレス式サンドウィッチ作成器具であって、容器底サイズにそろえて準備した２枚の食パンの間に適量のスナック菓子やチョコレート、アイスクリーム、ジャムなど好みの食材を挟み込んだ状態で所定形状の容器下部にセッティングし、押圧操作部を持ち上げた状態の押圧操作具を容器にかぶせ、押圧操作部を押し下げて押圧すると好みの食材を挟み込んだ2枚の食パンが半球形凹部などに形成された押圧操作部先端のプレス成型部形状に成型され、しかも2枚の食パンの周端部がより強くプレスされることでくっつき合って挟み込んだ食材が封入されることを特徴とする好みの食材を封入できるプレス式サンドウィッチ作成器具。
【請求項２】
容器の底部材が取外し可能なものとされていることで、プレス成型後に完成して容器内に残っているサンドウィッチを、容器底部材を取外して取り出すことができるようにされていることを特徴とする請求項１に記載の好みの食材を封入できるプレス式サンドウィッチ作成器具。
【請求項３】
容器底部材の表面に文字や模様やキャラクター図柄が浮き彫りにされており、好みの食材を挟み込んだ2枚の食パンをプレス成型すると底部材表面に触れていた食パン表面に文字や模様やキャラクター図柄が転写されるようになっていることを特徴とする請求項１または請求項２に記載の好みの食材を封入できるプレス式サンドウィッチ作成器具。
【請求項４】
持ち上げた状態の押圧操作部をプレス式サンドウィッチが完成する位置まで押し下げ操作すると備付けられたベルが鳴るようにされていることを特徴とする請求項１〜請求項３の何れか１つに記載の好みの食材を封入できるプレス式サンドウィッチ作成器具。
【考案の詳細な説明】
【技術分野】
【０００１】
本考案は、市販のスナック菓子やアイスクリームなどといったサンドイッチに通常は挟み込まないような食材であっても食パンの間に挟み込んで封入し従来にない味や食感を実現できるプレス式サンドウィッチの作成器具を提案するものである。
【背景技術】
【０００２】
薄切りにした２枚の食パンの間に適当な食材を挟み込み適宜なサイズにカットして作成するサンドウィッチはポピュラーなものとして知られている。
【０００３】
このサンドウィッチのヴァリエーションとして、２枚の食パンに適当な食材を挟んだ状態で専用の作成器具に入れ端部を押さえ込みながらトースト状に加熱し、食材を封入して完成するホットサンドウィッチも一般的なものである。
【０００４】
また、何れにしてもサンドウィッチは挟み込んだ食材が何であるか判り易いように適当なカットをされて提供されるのが通常である。
【０００５】
更に、サンドウィッチ等の加工技術については以下の文献に示すようなものが提案されている。
【特許文献１】登録実用新案第３０４２９６２号公報
【考案の開示】
【考案が解決しようとする課題】
【０００６】
上記してきた既存技術のものにおいては、サンドウィッチの中身が外観から判らず食してみて初めて判るという意外性を楽しむことはできていなかった。
中身に採用する食材にしてもスナック菓子を採用するというような奇抜なことはできず、アイスクリームのように溶けやすい食材を食パンの間に封入するようなことはできてこなかった。
【０００７】
また、色々な食材を封入しながら手軽に一口サイズのサンドウィッチを作ってそのまま楽しむことができる専用の作成器具の如くについての提案もなされてはいなかった。
【課題を解決するための手段】
【０００８】
本考案は、上記したような既存の従来技術における課題を解消するように検討を重ねて創案されたものであって、専用のサンドウィッチ作成器具によって様々な食材を挟み込み封入したサンドウィッチをプレス式に作成し、娯楽性に富んだ新しいサンドウィッチを手軽に楽しむことを提案するものであって、具体的には以下のとおりである。
【０００９】
（１）所定形状の容器とそれにかぶせて使用する押圧操作具とにより成るプレス式サンドウィッチ作成器具であって、容器底サイズにそろえて準備した２枚の食パンの間に適量のスナック菓子やチョコレート、アイスクリーム、ジャムなど好みの食材を挟み込んだ状態で所定形状の容器下部にセッティングし、押圧操作部を持ち上げた状態の押圧操作具を容器にかぶせ、押圧操作部を押し下げて押圧すると好みの食材を挟み込んだ2枚の食パンが半球形凹部などに形成された押圧操作部先端のプレス成型部形状に成型され、しかも2枚の食パンの周端部がより強くプレスされることでくっつき合って挟み込んだ食材が封入されることを特徴とする好みの食材を封入できるプレス式サンドウィッチ作成器具。
【００１０】
（２）容器の底部材が取外し可能なものとされていることで、プレス成型後に完成して容器内に残っているサンドウィッチを、容器底部材を取外して取り出すことができるようにされていることを特徴とする前記（１）項に記載の好みの食材を封入できるプレス式サンドウィッチ作成器具。
【００１１】
（３）容器底部材の表面に文字や模様やキャラクター図柄が浮き彫りにされており、好みの食材を挟み込んだ2枚の食パンをプレス成型すると底部材表面に触れていた食パン表面に文字や模様やキャラクター図柄が転写されるようになっていることを特徴とする前記（１）項または（２）項に記載の好みの食材を封入できるプレス式サンドウィッチ作成器具。
【００１２】
（４）持ち上げた状態の押圧操作部をプレス式サンドウィッチが完成する位置まで押し下げ操作すると備付けられたベルが鳴るようにされていることを特徴とする前記（１）項〜（３）項の何れか１つに記載の好みの食材を封入できるプレス式サンドウィッチ作成器具。
【実施例】
【００１３】
上記したような本考案の具体的な実施形態の代表例を、添付図面を利用して説明する。
すなわち、図１は本考案によるプレス式サンドウィッチ作成器具１の一例についてその利用方法を説明するために内部構造を透視図的に示したものである。
【００１４】
図示のものにおいて、本考案のプレス式サンドウィッチ作成器具１は、円筒形状の容器２と該容器２の開口部にかぶせて使用する押圧操作具３との組合せにより構成されるもので、押圧操作具３は先端に半球形凹部４ａを形成したプレス成型部４を取付けて上下にスライド移動するプレス機構５と該プレス機構５が最下点まで下がると打ち鳴らされるように構成しセットされたベル機構６とにより成っているものである。
【００１５】
円筒形の容器２は直径５ｃｍ程度のサイズであり、これに押圧操作具３を組合わせてプレス機構５を最下点まで押し下げた状態における本考案のプレス式サンドウィッチ作成器具１の高さは約１０ｃｍ程度となっている。
【００１６】
このプレス式サンドウィッチ作成器具１による本考案独自のプレス式サンドウィッチの作成方法について説明する。
（１）まず、容器２のみを取り外し、逆さまにして食パンの耳以外の部分に押し付けてやると、食パンは容器２の底形状サイズに揃えられた直径５ｃｍの円形パン７として切り取られる。これはちょうどクッキーを作る際の型抜き作業と同じである。普通サイズの食パンであれば、通常は１枚から４個の円形パン７を得られるが、間に好みの食材８を挟み込むために同じ手順により円形パン７を少なくとも２個準備する。
【００１７】
（２）容器２を底部８が下になるように置き、まず円形パン７を１つ入れ、次に好みの食材９を完成時に溢れない程度の適量として置き、最後にもう１つの円形パン７を重ねて作成準備する。挟み込む食材９は普通にサンドウィッチの具とするものであって良いが、通常はサンドウィッチの具としては用いないスナック菓子やアイスクリームのようなものを食材９としても良い。プレス成型されることでスナック菓子は適度に砕かれることになり、完成時には食材９が２枚の円形パン７の間に封入されることになるので、溶け出してしまうアイスクリームのようなものであっても一定の時間はそのまま保持し易いのである。
【００１８】
（３）容器２の開口部１０に押圧操作具３をセットしプレス機構５を一気に最下点まで押し下げる。この位置までプレス機構５を押し下げると備付けたベル機構６が鳴る仕掛けとなっているので、これによって２枚の円形パン７に対するプレス成型が完了したことを確認できる。
好みの食材９を挟んで準備されていた２枚の円形パン７はプレス成型されてプレス成型部４の半球形状凹部４ａと底部８とにより形成される形に固められる。このとき、半球形状凹部４ａの周縁１１と底部８とに上下２枚の円形パン７の周縁部が強く押し付けられるので、その結果くっつき合って挟み込まれた食材９は封入されることになる。
【００１９】
（４）プレス機構５を押し上げ、押圧操作具３を容器２から外して底部８に残された完成したプレス式サンドウィッチ１２を取り出す。このとき、プレス成型によって底部８に完成したプレス式サンドウィッチ１２がくっついてしまっている場合があるが、底部８を取外し可能なものとしておくことで容易に取り出すことができる。
完成した本考案器具１によるプレス式サンドウィッチ１２は直径５ｃｍ程度で厚みが２ｃｍ程度のものとなり、一口サイズで食べきることができる。
【００２０】
底部８に表面に文字や模様、キャラクター図柄などの浮き彫りを施しておくことで、プレス成型して本考案によるプレス式サンドウィッチ１２を完成させると、その下側の表面にこれらの図柄を転写して表示させることができる。底部８が取外し可能なものとされている場合には、さまざまな図柄等を浮き彫りにした複数枚に底部８を用意しておき、好みに応じて適宜に交換して楽しむことが可能である。
【００２１】
もちろん、このような浮き彫りの図柄を、プレス成型部４の半球形状凹部４ａの内側表面に施して完成後のプレス式サンドウィッチ１２の上側表面に転写表示されるようにすることもできる。
【００２２】
また、本考案の作成器具１によれば、簡単な操作で独自のプレス式サンドウィッチ１２を素早く作ることができるので、食パンと好みの食材９を準備してプレス式サンドウィッチ１２を作りながらその場で食するといったような楽しみ方を提案することができる。
【００２３】
さらに、本考案による独自のプレス式サンドウィッチ１２では挟み込む食材９を最終的には封入してしまうので一口サイズのものでありながら、外から中身の食材を確認できないものとなし得、したがって、実際に口に入れると初めて中身が判るといった意外性を楽しむこともできるようになる。また、中身の食材９を封入するので、前記したようにアイスクリームのような溶けやすいものでも採用することができ、従来似にない新食感を得ることができる。
【００２４】
容器２の形状として図示のものは円筒形状のも場合を示したが、その他の形状であってもプレス成型部４の形状とマッチさせて採用可能なものとして用意することで、完成したプレス式サンドウィッチ１２の形状に多様なヴァリエーションを付与することもできる。
【００２５】
以上説明したように本考案のプレス式サンドウィッチ作成器具によれば、従来にない独自なプレス式サンドウィッチを簡単且つ素早く作ることができ、多様な娯楽的要素を含んだ新規な食品を提案することができるものであって、市場に新たな需要を喚起するものとして産業上の利用可能性において優れた考案である。
【図面の簡単な説明】
【００２６】
【図１】本考案のプレス式サンドウィッチ作成器具をその使用方法と共に透視図的に示した説明図面である。
【符号の説明】
【００２７】
１    本考案によるプレス式サンドウィッチ作成器具
２    容器
３    押圧操作具
４    プレス成型部
４ａ    半球形状凹部
５    プレス機構
６    ベル機構
７    円形パン
８    底部
９    食材
１０    開口部
１１    周縁
１２    プレス式サンドウィッチ
【図１】
0003105304.tif 000003